(57)【要約】【課題】本発明は、呼吸ライト群付き洗濯機及びその制御方法を提供する。【解決手段】前記呼吸ライト群は、前記洗濯機の筐体（１１）の外壁又は内壁に設置され、複数の呼吸ライト（２５）から構成され、前記洗濯機は、洗濯機の作業プロセスの変化に基づいて前記呼吸ライト群における複数の呼吸ライト（２５）の明暗数の割合を変更するように制御するためのコントローラを更に含む。呼吸ライト群付き洗濯機の制御方法は、コントローラにより、呼吸ライト群における複数の呼吸ライト（２５）の明暗数の割合を変更することで、洗濯機の異なる作業状態を区別して表示するステップＳ１を含む。当該洗濯機を使用すると、洗濯機の表示画面がはっきりと見えない遠い範囲内でも、ユーザは、呼吸ライトユニットにおける呼吸ライト（２５）の明暗数の割合に基づいて、容易に洗濯機のリアルタイムの運転状態を大体推定することができるとともに、洗濯機のプログラムの運転スケジュール、特にプログラムが終了するまでの時間をはっきりと観察することができる。【選択図】図３
2017532167.tif 000002
【特許請求の範囲】
【請求項１】
呼吸ライト群付き洗濯機であって、前記呼吸ライト群は、前記洗濯機の筐体の外壁又は内壁に設置され、複数の呼吸ライトから構成され、前記洗濯機は、洗濯機の作業プロセスの変化に基づいて前記呼吸ライト群における複数の呼吸ライトの明暗数の割合を変更するように制御するためのコントローラを更に含む、ことを特徴とする呼吸ライト群付き洗濯機。
【請求項２】
隣り合う２つの前記呼吸ライトの間に導光体が設置されている、ことを特徴とする請求項１に記載の呼吸ライト群付き洗濯機。
【請求項３】
前記作業プロセスの変化は、具体的に、選択されたプログラムが既に運転した時間又は残り時間と、選択されたプログラムの合計運転時間との割合の変化である、ことを特徴とする請求項１に記載の呼吸ライト群付き洗濯機。
【請求項４】
前記呼吸ライト群は、洗濯機の扉体の内側の周辺、制御パネル及び／又は筐体の前板に設置されている、ことを特徴とする請求項１に記載の呼吸ライト群付き洗濯機。
【請求項５】
前記呼吸ライト群は、帯状、リング状、扇形、楕円形又は円形である、ことを特徴とする請求項１に記載の呼吸ライト群付き洗濯機。
【請求項６】
請求項１から５のいずれか一項に記載の呼吸ライト群付き洗濯機に適用される呼吸ライト群付き洗濯機の制御方法であって、
コントローラにより、呼吸ライト群における複数の呼吸ライトの明暗数の割合を変更することで、洗濯機の異なる作業状態を区別して表示するステップＳ１を含む、ことを特徴とする呼吸ライト群付き洗濯機の制御方法。
【請求項７】
ステップＳ１は、
コントローラにより、式ｎ＝ΔＴ＊Ｎ／Ｔ０に基づいて、作業プロセスがΔＴの段階に達した際に点灯される呼吸ライトの数ｎを算出する（その中、Ｔ０は選択されたプログラムの合計運転時間であり、ΔＴは選択されたプログラムが既に運転した時間であり、Ｎは呼吸ライトの合計数である）ステップＳ１１１と、
作業プログラムの運転が開始した後、コントローラにより、作業プロセスがΔＴの段階に達した際にｎ個の呼吸ライトを点灯させるステップＳ１１２とを含む、ことを特徴とする請求項６に記載の呼吸ライト群付き洗濯機の制御方法。
【請求項８】
ステップＳ１１２において、前記Ｎ個の呼吸ライトは、リング状に構成され、前記コントローラは、作業プロセスがΔＴの段階に達した際に、隣り合うｎ個の呼吸ライトを点灯させ、他のＮ−ｎ個の呼吸ライトが減光／消灯される、ことを特徴とする請求項７に記載の呼吸ライト群付き洗濯機の制御方法。
【請求項９】
ステップＳ１は、
コントローラにより、式ｎ＝ΔＴ＊Ｎ／Ｔ０に基づいて、作業プロセスがΔＴの段階に達した際に減光／消灯される呼吸ライトの数ｎを算出する（その中、Ｔ０は選択されたプログラムの合計運転時間であり、ΔＴは選択されたプログラムの残り時間であり、Ｎは呼吸ライトの合計数である）ステップＳ１２１と、
作業プログラムの運転が開始した後に、コントローラにより、作業プロセスがΔＴの段階に達した際にｎ個の呼吸ライトを減光／消灯させるステップＳ１２２とを含む、ことを特徴とする請求項６に記載の呼吸ライト群付き洗濯機の制御方法。
【発明の詳細な説明】
【技術分野】
【０００１】
本発明は、洗濯機表示の分野に関し、具体的に呼吸ライト群付き洗濯機及びその制御方法に関する。
【背景技術】
【０００２】
従来技術において、洗濯機の作業状態は、パイロットランプ、文字、数字などの組み合せにより表示されることが多い。図１に示すように、ドラム式洗濯機の外壁全体は、筐体１１と、扉体１２と、上蓋板１３と、制御板１４との４つの大きい部分から構成され、前記筐体１１の前端は、前板１１１であり、前記扉体１２は、前記筐体１１の前板１１１に設置され、前記上蓋板１３は、前記筐体１１の上端に設置され、前記制御板１４は、前記筐体１１の前端に設置され、且つ前記前板１１１の上端に位置している。
【０００３】
その中、制御板１４は、洗濯プログラムの選択、作業状態の表示等に対する制御及び指示等の重要な機能を担っている。制御板１４に、機能選択つまみ１４１、電源ボタン１４２、残り時間表示領域１４３及び作業状態表示領域１４４が設置され、それぞれ異なる機能を実現するために用いられている。その中、作業状態表示領域１４４は、一般的にパイロットランプ１４４１と文字記載サブ領域１４４２から構成されている。洗濯機がある状態（例えば、濯ぎ）まで運転すると、洗濯機の現在の運転状態を使用者に通知するように、当該状態を記載する文字の隣にあるパイロットランプが点灯する。また、既存の洗濯機に残り時間表示領域が設置されているが、当該残り時間表示領域も、一般的に単調な数字で残り時間を使用者に提示する。
【０００４】
以上の表示方式の表示效果は、あまり理想的ではなく、例えば、ユーザが洗濯機から離れすぎる場合、パイロットランプに対応する文字記載のフォントが小さすぎるため、ユーザは、作業状態表示領域においてどのパイロットランプ及び文字記載の群が点灯しているかがはっきりと見えず、残り時間表示領域における数字もはっきりと見えない。この場合、ユーザは、洗濯機の現在の運転状態を知らないため、適切な処置をタイムリーに行うことができず、非常に不便になる。
【０００５】
また、従来技術における洗濯機の作業状態及び残り時間の表示效果は、直感的であるものの、リズムが硬く、柔軟性と視覚的インパクトに乏しく、自然で躍動的であるため、製品の知能化概念に融合しにくい。
【０００６】
以上の説明から、ユーザが洗濯機から離れすぎることに起因して、作業状態表示領域においてどのパイロットランプ及び文字記載の群が点灯しているかがはっきりと見えず、残り時間表示領域における数字もはっきりと見えず、更に洗濯機の現在の運転状態を知らないという従来技術に存在する課題を解決するために、新しい運転状態及び残り時間表示装置付き洗濯機及びその制御方法が必要となる。
【発明の概要】
【発明が解決しようとする課題】
【０００７】
このような課題に鑑みて、本発明は、ユーザが、洗濯機から遠く離れる場合においも、洗濯機の現在の運転状態を把握でき、使用しやすい呼吸ライト群付き洗濯機を提供することを目的とする。
本発明は、呼吸ライトによって洗濯運転時間を表示し、洗濯機の表示画面がはっきりと見えない遠い範囲内でも、呼吸ライトの作業状態に基づいて容易に残り運転時間を大体推定することができる呼吸ライト群付き洗濯機の制御方法を提供することをもう一つの目的とする。
【課題を解決するための手段】
【０００８】
本発明の実施例は、以下の技術的手段を採用する。
呼吸ライト群付き洗濯機であって、前記呼吸ライト群は、前記洗濯機の筐体の外壁又は内壁に設置され、複数の呼吸ライトから構成され、前記洗濯機は、洗濯機の作業プロセスの変化に基づいて前記呼吸ライト群における複数の呼吸ライトの明暗数の割合を変更するように制御するためのコントローラを更に含む。
【０００９】
好ましくは、隣り合う２つの前記呼吸ライトの間に導光体が設置されている。
【００１０】
好ましくは、前記作業プロセスの変化は、具体的に、選択されたプログラムが既に運転した時間又は残り時間と、選択されたプログラムの合計運転時間との割合の変化である。
【００１１】
好ましくは、前記呼吸ライト群は、洗濯機の扉体の内側の周辺、制御パネル及び／又は筐体の前板に設置されている。
【００１２】
好ましくは、前記呼吸ライト群は、帯状、リング状、扇形、楕円形又は円形である。
【００１３】
以上のいずれか一項に記載の呼吸ライト群付き洗濯機に適用される呼吸ライト群付き洗濯機の制御方法であって、
コントローラにより、呼吸ライト群における複数の呼吸ライトの明暗数の割合を変更することで、洗濯機の異なる作業状態を区別して表示するステップＳ１を含む。
【００１４】
好ましい態様として、ステップＳ１は、
コントローラにより、式ｎ＝ΔＴ＊Ｎ／Ｔ０に基づいて、作業プロセスがΔＴの段階に達した際に点灯される呼吸ライトの数ｎを算出する（その中、Ｔ０は選択されたプログラムの合計運転時間であり、ΔＴは選択されたプログラムが既に運転された時間であり、Ｎは呼吸ライトの合計数である）ステップＳ１１１と、
作業プログラムの運転が開始した後に、コントローラにより、作業プロセスがΔＴの段階に達した際にｎ個の呼吸ライトを点灯させるステップＳ１１２とを含む。
更に好ましい態様として、
ステップＳ１１２において、前記Ｎ個の呼吸ライトは、リング状に構成され、前記コントローラは、作業プロセスがΔＴの段階に達した際に、隣り合うｎ個の呼吸ライトを点灯させ、他のＮ−ｎ個の呼吸ライトが減光／消灯される。
【００１５】
別の好ましい態様として、ステップＳ１は、
コントローラにより、式ｎ＝ΔＴ＊Ｎ／Ｔ０に基づいて、作業プロセスがΔＴの段階に達した際に減光／消灯される呼吸ライトの数ｎを算出する（その中、Ｔ０は選択されたプログラムの合計運転時間であり、ΔＴは選択されたプログラムの残り時間であり、Ｎは呼吸ライトの合計数である）ステップＳ１２１と、
作業プログラムの運転が開始した後に、コントローラにより、作業プロセスがΔＴの段階に達した際にｎ個の呼吸ライトを減光／消灯させるステップＳ１２２とを含む。
【発明の効果】
【００１６】
本出願に係る呼吸ライト群は、前記洗濯機の筐体の外壁又は内壁に設置され、複数の呼吸ライトから構成され、前記洗濯機は、洗濯機の作業プロセスの変化に基づいて前記呼吸ライト群における複数の呼吸ライトの明暗数の割合を変更するように制御するためのコントローラを更に含む。そのため、呼吸ライトの明暗状態が観察しやすくなる。呼吸ライト群付き洗濯機の制御方法は、コントローラにより、呼吸ライト群における複数の呼吸ライトの明暗数の割合を変更することで、洗濯機の異なる作業状態を区別して表示するステップＳ１を含む。そのため、当該洗濯機及び制御方法を使用すると、洗濯機の表示画面がはっきりと見えない遠い範囲内でも、ユーザは、呼吸ライトユニットにおける呼吸ライトの明暗数の割合に基づいて、容易に洗濯機のリアルタイムの運転状態を大体推定することができるとともに、洗濯機のプログラムの運転スケジュール、特にプログラムが終了するまでの時間をはっきりと観察することができる。よって、ユーザ体験が改善されるとともに、美的效果がアップする。
【００１７】
本発明の実施例に係る技術手段をより明確に説明するために、以下、本発明の実施例の説明に使用すべき図面を簡単に説明する。明らかに、下記図面は本発明の幾つかの実施例に過ぎず、当業者にとって、創造的な労働を行わない前提で、本発明の実施例の内容とこれらの図面に基づいて他の図面を得ることができる。
【図面の簡単な説明】
【００１８】
【図１】図１は、従来技術に係る洗濯機の外部構造模式図である。
【図２】図２は、本発明における装置実施例１に係る洗濯プログラムが合計時間の４分の１に達した際の呼吸ライトの発光状態である。
【図３】図３は、本発明における装置実施例１に係る洗濯プログラムが合計時間の２分の１に達した際の呼吸ライトの発光状態である。
【図４】図４は、本発明における装置実施例２に係る呼吸ライト群が制御板の下縁に位置する場合の洗濯機の構造模式図である。
【図５】図５は、本発明における装置実施例３に係る呼吸ライト群が筐体の前板の周辺に位置する場合の洗濯機の構造模式図である。
【図６】図６は、本発明における装置実施例４に係る呼吸ライト群が扇形である場合の洗濯機の構造模式図である。
【図７】図７は、本発明における装置実施例５に係る呼吸ライト群が円形である場合の洗濯機の構造模式図である。
【符号の説明】
【００１９】
１１−筐体、１２−扉体、１３−上蓋板、１４−制御板、１１１−前板、１４１−機能選択つまみ、１４２−電源ボタン、１４３−残り時間表示領域、１４４−作業状態表示領域、１４４１−パイロットランプ、１４４２−文字記載サブ領域、２１−筐体、２２−扉体、２３−上蓋板、２４−制御板、２５−呼吸ライト、２１１−前板、２４１−機能選択つまみ、２４２−電源ボタン、２４３−残り時間表示領域、２４４−作業状態表示領域、２４４１−パイロットランプ、２４４２−文字記載サブ領域、２５１−暗領域、２５２−点灯領域、３１−筐体、３２−扉体、３４−制御板、３５−呼吸ライト、３１１−前板、４１−筐体、４２−扉体、４４−制御板、４５−呼吸ライト、４１１−前板、５１−筐体、５２−扉体、５４−制御板、５５−呼吸ライト、５１１−前板、６１−筐体、６２−扉体、６４−制御板、６５−呼吸ライト、６１１−前板。
【発明を実施するための形態】
【００２０】
本発明が解决しようとする技術的課題、採用する技術的手段と達成する技術的效果をより明確にするために、以下、図面を参考しながら本発明の実施例の技術的手段をより詳しく説明する。明らかに、ここに記載された実施例は、本発明の一部の実施例に過ぎず、すべての実施例ではない。本発明の実施例を基に、当業者が創造的な労働を行わない前提で得たすべての他の実施例は、いずれも本発明の保護範囲内に含まれる。
【００２１】
本出願は、呼吸ライト（Ｂｒｅａｔｈｉｎｇ  ｌｉｇｈｔ）群付き洗濯機であって、前記呼吸ライト群は、前記洗濯機の筐体の外壁又は内壁に設置され、呼吸ライトから構成され、前記洗濯機は、洗濯機の作業プロセスの変化に基づいて前記呼吸ライト群における複数の呼吸ライトの明暗数の割合を変更するように制御するためのコントローラを更に含む呼吸ライト群付き洗濯機を提供する。そのため、当該洗濯機を使用すると、洗濯機の表示画面がはっきりと見えない遠い範囲内でも、ユーザは、呼吸ライトユニットにおける呼吸ライトの明暗数の割合に基づいて、容易に洗濯機のリアルタイムの運転状態を大体推定することができるとともに、洗濯機のプログラムの運転スケジュール、特にプログラムが終了するまでの時間をはっきりと観察することができる。よって、ユーザ体験が改善されるとともに、美的效果がアップする。
【００２２】
本出願において、好ましい態様として、前記作業プロセスの変化は、具体的に、選択されたプログラムが既に運転した時間又は残り時間と、選択されたプログラムの合計運転時間との割合の変化である。
【００２３】
例えば、作業プログラムの運転が開始していない際に、全ての呼吸ライトが減光／消灯されているが、作業プロセスの変化に伴って、減光／消灯される前記呼吸ライトの数が次第に減少し、点灯される前記呼吸ライトの数が次第に増加し、作業プログラム全体の運転終了に至ると、全ての呼吸ライトが点灯状態になる。又は、洗濯機の作業が開始していない際に、全ての呼吸ライトが点灯されているが、作業プロセスの変化に伴って、点灯される前記呼吸ライトの数が次第に減少し、減光／消灯される前記呼吸ライトの数が次第に増加し、作業プログラム全体の運転終了に至ると、全ての呼吸ライトが減光／消灯状態になる。
【００２４】
その中、作業プログラムはユーザの選択によって決められる。洗濯過程、濯ぎ過程及び乾燥過程は、作業プログラム全体を構成し、単一の洗濯過程、濯ぎ過程又は乾燥過程も、一つの作業プログラムと呼ばれることができる。
【００２５】
洗濯過程、濯ぎ過程及び乾燥過程を一つの作業プログラムとする例として、作業プログラム全体を終了させる時間を３０ｍｉｎとし、洗濯過程を終了させる時間を１５ｍｉｎとし、濯ぎ過程を終了させる時間を１０ｍｉｎとし、乾燥過程を終了させる時間を５ｍｉｎとする。作業プログラムの運転が開始していない際に、全ての呼吸ライトが減光／消灯されているが、洗濯過程が終了する際に、点灯される呼吸ライトの数が呼吸ライト群全体における呼吸ライトの数の２分の１を占め、濯ぎ過程が終了する際に、点灯される呼吸ライトの数が呼吸ライト群全体における呼吸ライトの数の６分の５を占め、乾燥過程が終了する際に、全ての呼吸ライトが点灯状態になる。これは、作業プログラム全体の運転が既に終了したことを示す。
【００２６】
以下、呼吸ライト群付き洗濯機について、５つの装置実施例により説明する。
【００２７】
［装置実施例１］
図２から図３に示すように、本出願に係る呼吸ライト群付き洗濯機は、筐体２１と、扉体２２と、上蓋板２３と、制御板２４とを含み、前記上蓋板２３は前記筐体２１の上端に設置され、前記筐体２１の前端は前板２１１であり、前記扉体２２は前記筐体２１の前板２１１に設置され、前記扉体２２は円形の扉体であり、前記制御板２４は前記筐体２１の前端に設置され、且つ前記前板２１１の上方に位置している。
【００２８】
前記制御板２４に、機能選択つまみ２４１、電源ボタン２４２及び作業状態表示領域２４４が設置されている。本実施例において、好ましい態様として、前記作業状態表示領域２４４は、パイロットランプ２４４１と前記パイロットランプ２４４１に対応する文字記載サブ領域２４４２から構成されている。即ち、各パイロットランプはそれぞれ１つの文字記載に対応する。
【００２９】
以上の構造に加え、洗濯機にリング状の呼吸ライト群が設置され、リング状の呼吸ライトは、前記扉体２２の内側の周辺に設置され、いくつかの呼吸ライト２５を一定の規則に従って順次に均一に配列することにより構成され、各呼吸ライト２５は、前記呼吸ライト２５のオン／オフを制御する前記コントローラとそれぞれ接続されている。
【００３０】
具体的には、洗濯機の電源をオンにすると、扉体２２の内側の周辺におけるリング状の呼吸ライトが減光されるが、消灯されない。ある洗濯プログラムを選択して洗濯機を起動させると、洗濯プログラムの進行に伴って、扉体２２の内側の周辺におけるリング状の呼吸ライトは、最大の明るさに保持されるまで、扉体２２内側の周辺のある位置から次第に明るくなる。例えば、図２は洗濯プログラムが合計時間の４分の１に達した際の呼吸ライトの発光状態を示す。同図において、暗領域２５１が呼吸ライト群全体の長さの４分の３を占め、点灯領域２５２が呼吸ライト群全体の長さの４分の１を占める。これは、４分の１の洗濯プログラムが行われたが、４分の３の洗濯プログラムが行われていないことを意味する。ユーザは、当該プログラムの運転を終了させる合計時間に基づいて、洗濯プログラムの運転終了後の残りの洗濯時間を算出できる。図３は洗濯プログラムが合計時間の２分の１に達した際の呼吸ライトの発光状態を示す。同図において、暗領域２５１が呼吸ライト群全体の長さの２分の１を占め、点灯領域２５２が呼吸ライト群全体の長さの２分の１を占める。これは、２分の１の洗濯プログラムが行われたが、２分の１の洗濯プログラムが行われていないことを意味する。このように、洗濯機の表示画面がはっきりと見えない遠い範囲内でも、ユーザは、呼吸ライトの発光状態に基づいて容易に洗濯機の残りの洗濯時間を大体推定することができる。
【００３１】
本実施例において、好ましい態様として、隣り合う２つの前記呼吸ライト２５の間に導光体が設置されている。前記導光体の両端はそれぞれ前記呼吸ライト２５と接触し、呼吸ライト２５からの光を伝導することができる。これにより、同じ長さの呼吸ライト群を構成するための呼吸ライト２５の数を減少することができ、呼吸ライト２５が節約されるとともに、コントローラの制御過程が更に簡単化される。
【００３２】
従来技術において洗濯機の制御板に特別設置されている残り時間表示機能は、本態様においてあってもなくてもよい。残り時間通知の確実性を確保するために、本実施例において、好ましい態様として、前記制御板２４に依然として洗濯プログラムの残り時間を表示するための残り時間表示領域２４３が設置されている。
【００３３】
［装置実施例２］
上記の装置実施例１において、呼吸ライトは、扉体の周辺に設けられているが、前記呼吸ライトの位置が上記の実施例１に限定されるものではなく、呼吸ライトを洗濯機の他の箇所に設けてもよい。
【００３４】
本実施例において、図４に示すように、洗濯機の筐体３１の前板３１１の中心位置に扉体３２が設置されており、前記筐体３１の前端に、前記前板３１１の上方に位置する制御板３４が設置されている。本実施例において、前記洗濯機にも呼吸ライト群が設置されているが、装置実施例１と異なる点は、本実施例において、前記呼吸ライト群がいくつかの呼吸ライト３５を配列することにより構成される帯状の呼吸ライトであり、前記直線型呼吸ライトが前記制御板３４の下縁に設置されていることである。
【００３５】
［装置実施例３］
本実施例において、図５に示すように、洗濯機の筐体４１の前板４１１の中心位置に扉体４２が設置され、前記筐体４１の前端に前記前板４１１の上方に位置する制御板４４が設置されている。本実施例において、前記洗濯機にも呼吸ライト群が設置されているが、装置実施例１、装置実施例２と異なる点は、本実施例において、前記呼吸ライト群がいくつかの呼吸ライト４５を配列することにより構成される長方形の呼吸ライトであり、前記長方形呼吸ライトが前記筐体４１の前板４１１の周辺に設置されていることである。
【００３６】
［装置実施例４］
本実施例において、図６に示すように、洗濯機の筐体５１の前板５１１の中心位置に扉体５２が設置され、前記筐体５１の前端に前記前板５１１の上方に位置する制御板５４が設置されている。本実施例において、前記洗濯機にも呼吸ライト群が設置されているが、装置実施例１、装置実施例２と異なる点は、本実施例において、前記呼吸ライト群がいくつかの呼吸ライト５５を配列することにより構成される扇形の呼吸ライトであり、前記扇形呼吸ライトが前記筐体５１の前板５１１の左下隅に設置されていることである。
【００３７】
［装置実施例５］
本実施例において、図７に示すように、洗濯機の筐体６１の前板６１１の中心位置に扉体６２が設置され、前記筐体６１の前端に前記前板６１１の上方に位置する制御板６４が設置されている。本実施例において、前記洗濯機にも呼吸ライト群が設置されているが、装置実施例１、装置実施例２と異なる点は、本実施例において、前記呼吸ライト群が円形であり、いくつかの直径の異なるリング状のサブ呼吸ライト群を内から外へ配列することにより構成され、全てのリング状のサブ呼吸ライト群の円心が同じであり、各リング状のサブ呼吸ライト群がいくつかの呼吸ライト６５を順次に連結することにより構成され、前記円形の呼吸ライト群が前記筐体６１の前板６１１の左下隅に設置されていることである。前記呼吸ライト群は、楕円形であってもよく、いくつかの楕円リング状のサブ呼吸ライト群を内から外へ配列することにより構成される。
【００３８】
本実施例において、前記呼吸ライトの形状は、以上の５種類に限定されるものではなく、他の形状であってもよい。前記洗濯機の外壁における前記呼吸ライトの位置も以上の５つの態様における位置に限定されるものではなく、ユーザが呼吸ライトの発光状態に基づいて洗濯機の残りの洗濯時間を大体推定することさえできれば、このような呼吸ライトの構造と位置はいずれも本発明の保護範囲に属する。
【００３９】
本出願は、以上のいずれか一つの装置実施例に係る呼吸ライト群付き洗濯機に適用される呼吸ライト群付き洗濯機の制御方法であって、コントローラにより、呼吸ライト群における呼吸ライトの明暗数の割合を変更することで、洗濯機の異なる作業状態を区別して表示するステップＳ１を含む呼吸ライト群付き洗濯機の制御方法を更に提供する。
【００４０】
以下、２つの実施例により実施方法を説明する。
【００４１】
［方法実施例１］
当該実施例において、ステップＳ１は、
コントローラにより、式ｎ＝ΔＴ＊Ｎ／Ｔ０に基づいて、作業プロセスがΔＴの段階に達した際に点灯される呼吸ライトの数ｎを算出する（その中、Ｔ０は選択されたプログラムの合計運転時間であり、ΔＴは選択されたプログラムが既に運転した時間であり、Ｎは呼吸ライトの合計数である）ステップＳ１１１と、
作業プログラムの運転が開始した後に、コントローラにより、作業プロセスがΔＴの段階に達した際にｎ個の呼吸ライトを点灯させるステップＳ１１２とを含む。
【００４２】
作業プログラムの運転が開始していない際に、全ての呼吸ライトが減光／消灯されているが、作業プロセスの変化に伴って、減光／消灯される前記呼吸ライトの数が次第に減少し、点灯される前記呼吸ライトの数が次第に増加し、作業プログラムの運転終了に至ると、全ての呼吸ライトが点灯状態になる。
【００４３】
ステップＳ１１２で具現化されているように、具体的には、前記Ｎ個の呼吸ライトがリング状に構成されることを例として、作業プログラムの運転が開始した後に、コントローラにより、作業プロセスがΔＴの段階に達する前の時間内に、予め設定された順序に従って隣り合うｎ個の呼吸ライトを点灯させ、この際、他のＮ−ｎ個の呼吸ライトが減光／消灯される。全ての呼吸ライトが点灯され、呼吸ライト群が最大の明るさに保持されると、作業プログラムが終了したと推定できる。
【００４４】
洗濯過程を１つの作業プログラムとすることを例として、洗濯過程全体を終了させる時間を３０ｍｉｎとする。作業プログラムが開始していない際に、全ての呼吸ライトが減光／消灯されるが、洗濯過程が１０ｍｉｎに達した際に、点灯される呼吸ライトの数が呼吸ライト群全体における呼吸ライトの数の３分の１を占め、洗濯過程が２０ｍｉｎに達した際に、点灯される呼吸ライトの数が呼吸ライト群全体における呼吸ライトの数の３分の２を占め、洗濯過程が３０ｍｉｎに達した際に、全ての呼吸ライトが点灯状態になる。これは、作業プログラム全体の運転が既に終了したことを示す。
【００４５】
本実施例において、ステップＳ１１２において、前記コントローラは、作業プロセスがΔＴの段階に達する前の時間内に、予め設定された順序に従ってｎ個の呼吸ライトを点灯させる。その中、一回で少なくとも一つの呼吸ライトを点灯させることができ、作業プロセスがΔＴの段階に達する前の時間内にｎ個の呼吸ライトを順次に均一に点灯させばよい。
【００４６】
本実施例において、装置実施例１又は装置実施例３に開示された呼吸ライトの形状及びその設置位置を例として、ある呼吸ライトから、時計回り又は反時計回りの方向に従って順次に呼吸ライトを点灯させることができる。又は、ある呼吸ライトから、当該呼吸ライトの両側の２つの異なる方向に沿って順次に呼吸ライトを点灯させてもよい。
【００４７】
装置実施例２に開示された呼吸ライトの形状及びその設置位置を例として、左側の一つ目の呼吸ライトから、右へ順次に呼吸ライトを点灯させることができる。
【００４８】
装置実施例４に開示された呼吸ライトの形状及びその設置位置を例として、ある列の呼吸ライトから、時計回り又は反時計回りの方向に従って順次に呼吸ライトを点灯させることができる。
【００４９】
装置実施例５に開示された呼吸ライトの形状及びその設置位置を例として、リングの最も内側にある呼吸ライトから、内から外へ順次に呼吸ライトを点灯させることができる。
【００５０】
［方法実施例２］
当該実施例において、ステップＳ１は、
コントローラにより、式ｎ＝ΔＴ＊Ｎ／Ｔ０に基づいて、作業プロセスがΔＴの段階に達した際に減光／消灯される呼吸ライトの数ｎを算出する（その中、Ｔ０は選択されたプログラムの合計運転時間であり、ΔＴは選択されたプログラムの残り時間であり、Ｎは呼吸ライトの合計数である）ステップＳ１２１と、
作業プログラムの運転が開始した後に、コントローラにより、作業プロセスがΔＴの段階に達した際にｎ個の呼吸ライトを減光／消灯させるステップＳ１２２とを含む。
【００５１】
作業プログラムの運転が開始していない際に、全ての呼吸ライトが点灯され、この際、作業プログラムの未実行時間が最も長い。作業プログラムが開始した後に、作業スケジュールの変化に伴って、点灯される前記呼吸ライトの数が次第に減少し、減光／消灯される前記呼吸ライトの数が次第に増加し、作業プログラムの運転終了に至ると、全ての呼吸ライトが減光／消灯状態になる。
【００５２】
ステップＳ１２２で具現化されているように、具体的には、前記Ｎ個の呼吸ライトがリング状に構成されることを例として、作業プログラムの運転が開始した後に、コントローラにより、作業プロセスがΔＴの段階に達する前の時間内に、予め設定された順序に従って隣り合うｎ個の呼吸ライトを減光／消灯させ、この際に、他のＮ−ｎ個の呼吸ライトが点灯される。全ての呼吸ライトが減光／消灯され、呼吸ライト群が最小の明るさに保持されると、作業プログラムが終了したと推定できる。
【００５３】
本実施例において、ステップＳ１２２において、前記コントローラは、作業プロセスがΔＴの段階に達する前の時間内に、予め設定された順序に従ってｎ個の呼吸ライトを減光／消灯させる。その中、一回で少なくとも一つの呼吸ライトを減光／消灯させることができ、作業プロセスがΔＴの段階に達する前の時間内にｎ個の呼吸ライトを順次に均一に減光／消灯させばよい。
【００５４】
前記呼吸ライトの減光／消灯順序は、方法実施例１における呼吸ライトの点灯順序と同じであるため、ここで説明を省略する。
【００５５】
本出願に係る呼吸ライト群付き洗濯機の制御方法は、前記の呼吸ライト群付き洗濯機に適用され、コントローラにより、呼吸ライト群における呼吸ライトの明暗数の割合を変更することで、洗濯機の異なる作業プロセスを区別して表示するステップＳ１を含む。そのため、当該洗濯機を使用すると、洗濯機の表示画面がはっきりと見えない遠い範囲内でも、ユーザは、呼吸ライトユニットにおける呼吸ライトの明暗数の割合に基づいて、容易に洗濯機のリアルタイムの運転状態を大体推定することができるとともに、洗濯機のプログラムの運転スケジュール、特にプログラムが終了するまでの時間をはっきりと観察することができる。よって、ユーザ体験が改善されるとともに、美的效果がアップする。
【００５６】
同時に、洗濯機の運転中に、呼吸ライトの点灯時間の長さを制御することにより、洗濯機の作業状態を柔軟に表示できる。洗濯機に呼吸ライトを設置することにより、洗濯の残り時間通知の效果を有するほか、非常に良い飾り的な視覚效果を奏する。呼吸ライトの明から暗への徐変は、呼吸のように、視覚的な通知を提供することができ、非常に良い飾り的な視覚效果を奏し、ユーザ体験の効果を上げ、洗濯機に美的でお洒落で高知能化の外観を与える。洗濯機の洗濯状態や洗濯の残り時間に対する判断及び通知の柔軟性と利便性を向上させ、自然で躍動的になり、生命力に恵まれている。
【００５７】
なお、上記説明は本発明の好適な実施例及び使用される技術原理に過ぎない。当業者は、本発明がここに記載された特定の実施例に限定されず、当業者にとって、本発明の保護範囲を逸脱しない範囲で、各種の明らかな変更、調整及び置換を行うことができるということを理解すべきである。従って、上記実施例により本発明を詳細に説明したが、本発明は上記実施例に限定されず、本発明の構想を逸脱しない場合、他の均等な実施例をより多く含んでもよく、本発明の保護範囲は添付された特許請求の範囲によって決定される。
【図１】
2017532167.tif 000003
【図２】
2017532167.tif 000004
【図３】
2017532167.tif 000005
【図４】
2017532167.tif 000006
【図５】
2017532167.tif 000007
【図６】
2017532167.tif 000008
【図７】
2017532167.tif 000009
【国際調査報告】
2017532167.tif 000010
2017532167.tif 000011
2017532167.tif 000012
2017532167.tif 000013